(57)【要約】【課題】ボールねじにおいて、エンドデフレクタの取付ねじの締結による軸力によってナット本体に対するエンドデフレクタのボール戻し通路やタング部の位置精度が低下することを低減すること。【解決手段】エンドデフレクタ１６は、ナット本体１４のデフレクタ保持凹部２６の開口縁の側に、外側に向けて拡張されたフランジ部３２を有し、フランジ部３２を軸線方向に貫通した取付ねじ６０によってナット本体１４に固定され、更に、フランジ部３２の径方向内側の縁部からデフレクタ保持凹部２６の奥部側に延出したリブ部５２を有する。【選択図】図３
2019113119.tif 000002
【特許請求の範囲】
【請求項１】
軸側ねじ溝が形成された外周面を有するねじ軸と、
前記軸側ねじ溝に対向するように形成されて前記軸側ねじ溝と協働して転走路を画成するナット側ねじ溝を形成された内周面、軸線方向に延在するボール戻し通路及び前記ナット側ねじ溝に連続すると共に前記ボール戻し通路の軸方向端が開口するように少なくとも一方の端面に形成されたデフレクタ保持凹部を有するナット本体と、
前記転走路及び前記ボール戻し通路に収容された複数のボールと、
前記デフレクタ保持凹部に配置されたエンドデフレクタとを具備したボールねじであって、
前記エンドデフレクタは、
前記転走路と前記ボール戻し通路との間で前記ボールの受け渡しを行うボール受渡し通路及び前記転走路から前記ボール受渡し通路に前記ボールを導くタング部を含む主部と、前記主部の軸線方向の端部に設けられたフランジ部とを有し、前記フランジ部を軸線方向に貫通する貫通孔に挿入されて前記ナット本体にねじ係合する取付ねじによって前記ナット本体に固定され、
前記エンドデフレクタは、更に、前記フランジ部の径方向内側の縁部から前記デフレクタ保持凹部の奧側に向けて延出したリブ部を有するボールねじ。
【請求項２】
前記主部は、前記タング部の軸線方向の両側から各々前記ナット本体の円周方向に延出した一対の突出片部を有し、当該一対の突出片部は前記デフレクタ保持凹部の内周面と協働して前記ボール受渡し通路と前記転走路との間に延在するボール案内溝を画定しており、当該一対の突出片部のうち前記フランジ部側に位置する突出片部は前記フランジ部と一体化されている請求項１に記載のボールねじ。
【請求項３】
前記フランジ部は、前記主部の前記端部から径方向外方に延出して前記突出片部と一体化された部分を含む径方向フランジ部と、前記主部の前記端部から前記突出片部の突出方向とは反対の円周方向に延出した円周方向フランジ部とを有し、前記円周方向フランジ部に前記リブ部が設けられている請求項２に記載のボールねじ。
【請求項４】
前記フランジ部は軸線方向で見て円環形状であり、
前記リブ部は、前記円環形状の内縁に沿って延在し、前記主部に接続されて前記主部と協働して閉ループをなしている請求項１又は２に記載のボールねじ。
【請求項５】
前記リブ部は前記ナット本体の前記内周面に径方向に面状に重なり合う部分を含んでいる請求項１から４の何れか一項に記載のボールねじ。
【請求項６】
前記ナット本体は前記リブ部を受け入れるべく形成された凹部を有する請求項１から５の何れか一項に記載のボールねじ。
【発明の詳細な説明】
【技術分野】
【０００１】
本発明は、ボールねじに関し、更に詳細には、ナット本体に取り付けられたエンドデフレクタを含むボールねじに関する。
【背景技術】
【０００２】
直線移動機構等に用いられるボールねじとして、軸側ねじ溝が形成された外周面を有するねじ軸と、前記軸側ねじ溝に対向するように形成されて前記軸側ねじ溝と協働して転走路を画成するナット側ねじ溝を形成された内周面、軸線方向に延在するボール戻し通路及び前記ナット側ねじ溝に連続すると共に前記ボール戻し通路の軸方向端が開口するデフレクタ保持凹部を形成された端面を有するナット本体と、前記転走路及び前記ボール戻し通路に転動可能に収容された複数のボールと、前記デフレクタ保持凹部に挿入され、前記転走路と前記ボール戻し孔との間で前記ボールの受け渡しを行うボール受渡し通路及び前記転走路から前記ボール受渡し通路に前記ボールを導くタング部を有するエンドデフレクタとを具備し、前記エンドデフレクタが当該エンドデフレクタを軸線方向に貫通して前記ナット本体にねじ係合する取付ねじによって前記ナット本体に固定されているボールねじが知られている（例えば、特許文献１、２）。
【先行技術文献】
【特許文献】
【０００３】
【特許文献１】特開２００７−２４３０５号公報
【特許文献２】特開２０１３−１７４３１６号公報
【発明の概要】
【発明が解決しようとする課題】
【０００４】
従来のボールねじでは、取付ねじの締結による軸力が、エンドデフレクタの軸線方向の先端面と当該先端面に衝当するデフレクタ保持凹部の底面とに作用すると共に、取付ねじの締付力がエンドデフレクタに軸線方向の全長に亘って圧縮力として作用するため、エンドデフレクタが広域に亘って変形し、当該変形によってナット本体に対するボール受渡し通路やタング部の位置精度が低下する虞が大きい。この位置精度の低下はボールねじの円滑な作動に悪影響を与える。
【０００５】
このような不具合は、エンドデフレクタが樹脂製である場合には、金属製のものに比してエンドデフレクタが変形し易いことにより、顕著になる。
【０００６】
本発明が解決しようとする課題は、ボールねじにおいて、エンドデフレクタの取付ねじの締結による軸力によってナット本体に対するエンドデフレクタのボール戻し通路やタング部の位置精度が低下することを低減することである。
【課題を解決するための手段】
【０００７】
本発明の一つの実施形態によるボールねじは、軸側ねじ溝が形成された外周面を有するねじ軸と、前記軸側ねじ溝に対向するように形成されて前記軸側ねじ溝と協働して転走路を画成するナット側ねじ溝を形成された内周面、軸線方向に延在するボール戻し通路及び前記ナット側ねじ溝に連続すると共に前記ボール戻し通路の軸方向端が開口するように少なくとも一方の端面に形成されたデフレクタ保持凹部を有するナット本体と、前記転走路及び前記ボール戻し通路に収容された複数のボールと、前記デフレクタ保持凹部に配置されたエンドデフレクタとを具備したボールねじであって、前記エンドデフレクタは、前記転走路と前記ボール戻し通路との間で前記ボールの受け渡しを行うボール受渡し通路及び前記転走路から前記ボール受渡し通路に前記ボールを導くタング部を含む主部と、前記主部の軸線方向の端部に設けられたフランジ部とを有し、前記フランジ部を軸線方向に貫通する貫通孔に挿入されて前記ナット本体にねじ係合する取付ねじによって前記ナット本体に固定され、前記エンドデフレクタは、更に、前記フランジ部の径方向内側の縁部から前記デフレクタ保持凹部の奧側に向けて延出したリブ部を有する。
【０００８】
この構成によれば、取付ねじの締付力（軸力）の受け止めがフランジ部によって行われ、しかもリブ部によってフランジ部の曲げ剛性が向上しているので、フランジ部を含むエンドデフレクタ全体の変形が抑制され、ナット本体に対してボール戻し通路やタング部の位置精度が低下することが抑制される。リブ部は、フランジ部からデフレクタ保持凹部の奧側に向けて延出し、ナットの軸長が長くなる原因になることがない。
【０００９】
本実施形態のエンドデフレクタは、樹脂成形品、鋳造等による金属製のものの何れであってもよい。
【００１０】
上記ボールねじにおいて、好ましくは、前記主部は、前記タング部の軸線方向の両側から各々前記ナット本体の円周方向に延出した一対の突出片部を有し、当該一対の突出片部は前記デフレクタ保持凹部の内周面と協働して前記ボール受渡し通路と前記転走路との間に延在するボール案内溝を画定しており、当該一対の突出片部のうち前記フランジ部側に位置する突出片部は前記フランジ部と一体化されている。
【００１１】
この構成によれば、フランジ部と突出片部とが相互に補強リブとして作用し、これらの曲げ剛性が向上する。
【００１２】
上記ボールねじにおいて、好ましくは、前記フランジ部は、前記主部の外端部から径方向外方に延出して前記突出片部と一体化された部分を含む径方向フランジ部と、前記主部の前記外端部から前記突出片部の突出方向とは反対の円周方向に延出した円周方向フランジ部とを有し、前記円周方向フランジ部に前記リブ部が設けられている。
【００１３】
この構成によれば、径方向フランジ部と突出片部とが互いの補強リブとして作用し、これらが相互に曲げ剛性を高められ、円周方向フランジ部はリブ部によって曲げ剛性を高められる。
【００１４】
上記ボールねじにおいて、好ましくは、前記フランジ部は軸線方向で見て円環形状であり、前記リブ部は、前記円環形状の内縁に沿って延在し、前記主部に接続されて前記主部と協働して閉ループをなしている。
【００１５】
この構成によれば、リブ部によるフランジ部の曲げ剛性の向上の効果が顕著になると共に主部の曲げ剛性も向上し、ナット本体に対してボール戻し通路やタング部の位置精度が低下することが抑制される。
【００１６】
上記ボールねじにおいて、好ましくは、前記リブ部は前記ナット本体の前記内周面に径方向に面状に重なり合う部分を含んでいる。
【００１７】
この構成によれば、フランジ部の曲げ剛性がより一層向上し、ナット本体に対してボール戻し通路やタング部の位置精度が低下することが抑制される。
【００１８】
上記ボールねじにおいて、好ましくは、前記ナット本体は前記リブ部を受け入れるべく形成された凹部を有する。
【００１９】
この構成によれば、リブ部によってナットの外径が大きくなることが回避される。
【発明の効果】
【００２０】
本発明によるボールねじによれば、取付ねじの締結による軸力によってナット本体に対するボール戻し通路やタング部の位置精度が低下することが低減される。
【図面の簡単な説明】
【００２１】
【図１】本発明によるボールねじの実施形態１を模式的に示す縦断面図
【図２】実施形態１のボールねじの斜視図
【図３】実施形態１のボールねじのねじ軸を取り外した状態の斜視図
【図４】実施形態１のボールねじのねじ軸を取り外した状態の分解斜視図
【図５】実施形態１のボールねじのエンドデフレクタの拡大斜視図（図４のＡ矢視の拡大斜視図）
【図６】実施形態１のボールねじのエンドデフレクタの拡大斜視図（図５のＢ矢視の拡大斜視図）
【図７】実施形態１のボールねじのエンドデフレクタの左側面図
【図８】実施形態１のボールねじのエンドデフレクタの右側面図
【図９】本発明によるボールねじの実施形態２を示す斜視図
【図１０】実施形態２のボールねじのねじ軸を取り外した状態の斜視図
【図１１】実施形態２のボールねじのねじ軸を取り外した状態の分解斜視図
【図１２】実施形態２のボールねじのエンドデフレクタの拡大斜視図（図１１のＣ矢視の拡大斜視図）
【図１３】実施形態２のボールねじのエンドデフレクタの拡大斜視図（図１２のＤ矢視の拡大斜視図）
【図１４】実施形態２のボールねじのエンドデフレクタの拡大斜視図（図１３のＥ矢視の拡大斜視図）
【発明を実施するための形態】
【００２２】
以下に、本発明によるボールねじの実施形態１を、図１〜図８を参照して説明する。
【００２３】
実施形態１のボールねじ１０は、図１に示されているように、ねじ軸１２と、ナット本体１４と、２個のエンドデフレクタ１６とを含む。
【００２４】
ここで、ボールねじ１０の中心軸線の方向を軸線方向Ｘと定義する。軸線方向Ｘは図１で見て左右方向である。以下で云う円周方向はボールねじ１０の中心軸線周りの方向である。
【００２５】
ねじ軸１２は、金属製の丸棒状体によって構成され、軸側ねじ溝１８が形成された外周面１２Ａを有する。
【００２６】
ナット本体１４は、金属製の円筒体によって構成され、ねじ軸１２の軸側ねじ溝１８に対向するように形成されて当該軸側ねじ溝１８と協働して転走路２０を画成するナット側ねじ溝２２を形成された内周面１４Ａと、筒状の肉部（内部）を軸線方向Ｘに延在するボール戻し通路２４と、デフレクタ保持凹部２６を形成された軸線方向Ｘの両側の端面１４Ｂとを有し、各デフレクタ保持凹部２６にエンドデフレクタ１６を挿入される。
【００２７】
転走路２０及びボール戻し通路２４には金属製の複数のボール２８が転動可能に収容されている。
【００２８】
次に、エンドデフレクタ１６及びデフレクタ保持凹部２６と、エンドデフレクタ１６の取付構造の詳細を、図２〜図８を参照して説明する。
【００２９】
各エンドデフレクタ１６は、ポリアセタール（ＰＯＭ）、ポリエーテルエーテルケトン（ＰＥＥＫ）、ポリフェニレンスルフィド（ＰＰＳ）、ポリアミド（ＰＡ）等の樹脂による一つの成形品であり、主部３０と、主部３０の軸線方向Ｘの一方の端部（この一方の端部を外端部と云うことがある）に設けられたフランジ部３２とを有する。
【００３０】
主部３０は、軸線方向部分３４Ａ及び円周方向部分３４Ｂを含むべく湾曲してデフレクタ保持凹部２６の後述の内周面５４Ｂと協働して閉断面形状のボール受渡し通路３６（図３参照）を画定するボール案内溝３４と、円周方向部分３４Ｂの先端から円周方向に延出し且つ対応する部位の軸側ねじ溝１８内に進入すべく径方向内方に膨出したタング部３８と、タング部３８の軸線方向Ｘの両側から各々ナット本体１４の円周方向に互いに略平行に延出した一対の突出片部４２、４４とを有する。
【００３１】
突出片部４２、４４はタング部３８側を基端として軸線方向Ｘに間隔をおいて形成された個別の片持ち梁をなし、デフレクタ保持凹部２６の後述の内周面５４Ｂと協働してボール案内溝３４に連続するボール案内溝４０（図３参照）を画定する。ボール案内溝４０は、ボール受渡し通路３６と転走路２０との間に延在し、軸側ねじ溝１８と協働して転走路２０の延長部をなすべく、ボール受渡し通路３６と転走路２０との間のボール２８の受け渡しを行う。タング部３８はボール案内溝４０からボール２８を掬うようにしてボール受渡し通路３６に導く。
【００３２】
ボール案内溝４０は対応する位置にあるねじ軸１２の軸側ねじ溝１８と協働して転走路２０とボール受渡し通路３６とを接続するボール２８の転走路をなす。突出片部４２、４４は、各々、円周方向の円弧面による内周面４２Ａ、４４Ａを含み、ねじ軸１２との干渉を回避する形状をしている。
【００３３】
フランジ部３２は、ナット本体１４に対するエンドデフレクタ１６の取付片であり、主部３０の、デフレクタ保持凹部２６の端面１４Ｂに対する開口縁に対応する側の軸線方向の端部から径方向外方及び周方向に向けて拡張された鍔状部である。
【００３４】
より詳細には、フランジ部３２は、主部３０の前記外端部から径方向外方に延出して突出片部４２と略全体に亘って一体化された部分を含む径方向フランジ部４６と、主部３０の前記外端部から突出片部４２の突出方向とは反対の円周方向に延出した円周方向フランジ部４８とを有する。径方向フランジ部４６及び円周方向フランジ部４８には各々軸線方向Ｘに貫通したねじ通し孔（貫通孔）５０が形成されている。円周方向フランジ部４８は、突出片部４２の内周面４２Ａに連続する円周方向の円弧面による内周面４８Ａを含み、ねじ軸１２との干渉を回避する形状をしている。
【００３５】
径方向フランジ部４６は前記取付片であると共に円周方向に延在する突出片部４２の曲げ剛性を高める補強リブを兼ねる。換言すると、突出片部４２は径方向フランジ部４６の径方向内側の縁部にあって、径方向フランジ部４６の曲げ剛性を高める補強リブを兼ねる。かくして、径方向フランジ部４６と突出片部４２とは相互に補強リブとして作用する。
【００３６】
エンドデフレクタ１６は、円周方向フランジ部４８の径方向内側の縁部から内周面４８Ａに沿って軸線方向Ｘの内方側に延出したリブ部５２を有する。尚、軸線方向Ｘの内方側は、前記外端部とは軸線方向Ｘで見て反対の側であり、軸線方向Ｘで対応する側のデフレクタ保持凹部２６の奥側を指す。
【００３７】
リブ部５２は、円周方向フランジ部４８の曲げ剛性を高める補強リブであり、円周方向の端部で主部３０に接続されており、円周方向フランジ部４８の内周面４８Ａに連続する円周方向の円弧面による内周面５２Ａを含み、ねじ軸１２との干渉を回避する形状をしている。リブ部５２は、図３に示されているように、ナット本体１４の内周面１４Ａに径方向に面状に重なり合う重なり合い部分５２Ｂを含んでいる。
【００３８】
各デフレクタ保持凹部２６は、主部３０を受け入れるべく主部３０の外郭形状と略同一形状に形成された主部受入れ部５４と、主部受入れ部５４より軸線方向Ｘの外端側にあってフランジ部３２を受け入れるべくフランジ部３２の外郭形状と略同一形状に形成されたフランジ受入れ部５６とを有する。
【００３９】
主部受入れ部５４は、軸線方向Ｘの内方側（デフレクタ保持凹部２６の奧側）に、軸線方向Ｘに直交する平面による底面５４Ａを有する。底面５４Ａにはボール戻し通路２４の軸方向端２４Ａ（図４参照）が開口している。主部受入れ部５４は、フランジ受入れ部５６に対する開口端と底面５４Ａとの間に、主部３０の径方向外方の外周面３０Ａと略同一形状の内周面５４Ｂを有する。内周面５４Ｂにはナット側ねじ溝２２が至っており、当該内周面５４Ｂにナット側ねじ溝２２の終端が存在する。
【００４０】
エンドデフレクタ１６は、内周面５４Ｂに主部３０の外周面３０Ａが接触した状態で主部３０が主部受入れ部５４に嵌合することにより、ナット本体１４に対する円周方向及び径方向の位置決めが行われる。
【００４１】
フランジ受入れ部５６は、軸線方向Ｘの内方側（奧側）に、軸線方向Ｘに直交する平面による底面５６Ａを有する。底面５６Ａには各ねじ通し孔５０に対応する位置に取付ねじ６０のためのねじ孔５８が開口している。フランジ受入れ部５６はナット本体１４の端面１４Ｂに対する開口端と底面５６Ａとの間に、フランジ部３２の径方向外方の外周面３２Ａと略同一形状の内周面５６Ｂを有する。フランジ部３２の外周面３２Ａとフランジ受入れ部５６の内周面５６Ｂとの嵌合は、主部３０と主部受入れ部５４との嵌合による上述の位置決めを損なわないように、遊嵌合であってよい。
【００４２】
各エンドデフレクタ１６は、主部３０が主部受入れ部５４に挿入され、フランジ部３２がフランジ受入れ部５６に挿入され、軸線方向Ｘの外端側から各ねじ通し孔５０に皿ねじによる取付ねじ６０が挿入され、取付ねじ６０が対応する位置のねじ孔５８にねじ係合（螺合）し、取付ねじ６０が締め付けられることによりナット本体１４に固定される。
【００４３】
このように、エンドデフレクタ１６がナット本体１４に固定されることにより、ナット側ねじ溝２２の前記終端がボール案内溝４０に接続されると共に、ボール受渡し通路３６がボール戻し通路２４に連通する。
【００４４】
この固定状態では、フランジ部３２の軸線方向Ｘの内方側の端面３２Ｂがフランジ受入れ部５６の底面５６Ａに強く押し付けられるが、主部３０の軸線方向Ｘの内方側の端面３０Ｂは、主部受入れ部５４の底面５４Ａに弱く押し付けられるか、或いは底面５４Ａに接触する程度であってよい。
【００４５】
取付ねじ６０はエンドデフレクタ１６のフランジ部３２を軸線方向に貫通してナット本体１４にねじ止めされているから、取付ねじ６０の締結による軸力は、軸線方向に互いに衝当するフランジ部３２の端面３２Ｂとフランジ受入れ部５６の底面５６Ａとに作用し、主部３０に実質的に作用することがない。
【００４６】
これにより、取付ねじ６０の締付力はフランジ部３２にのみ作用し、取付ねじ６０の締め付けによるエンドデフレクタ１６の変形はフランジ部３２に止められ、取付ねじ６０の締付力によって主部３０が変形することが抑えられる。この結果、取付ねじ６０の締め付けに起因するナット本体１４に対するボール案内溝３４及び４０、タング部３８、突出片部４２、４４の位置精度の低下が抑えられ、ボール２８の円滑な循環が保証される。このことによりボールねじ１０の作動性能及びエンドデフレクタ１６の耐久性が向上する。
【００４７】
更には、各エンドデフレクタ１６は、円周方向フランジ部４８にリブ部５２を有することにより円周方向フランジ部４８の曲げ剛性が向上する。また突出片部４２が径方向フランジ部４６の補強リブとして作用することにより、径方向フランジ部４６の曲げ剛性が向上する。これらのことにより、取付ねじ６０の締め付けによるフランジ部３２の変形が抑制される。このことによっても、取付ねじ６０の締め付けに起因するナット本体１４に対するボール案内溝３４及び４０、タング部３８、突出片部４２、４４の位置精度の低下が抑えられ、ボール２８の円滑な循環が保証され、ボールねじ１０の作動性能及びエンドデフレクタ１６の耐久性が向上する。
【００４８】
更に、リブ部５２は、ナット本体１４の内周面１４Ａに径方向に面状に重なり合う重なり合い部分５２Ｂを含んでいることにより、リブ部５２による円周方向フランジ部４８の曲げ剛性の向上が効果的に行われ、円周方向フランジ部４８の変形が、より一層確実に抑制される。このことによっても、取付ねじ６０の締め付けに起因するナット本体１４に対するボール案内溝３４及び４０、タング部３８、突出片部４２、４４の位置精度の低下が抑えられ、ボール２８の円滑な循環が保証され、ボールねじ１０の作動性能及びエンドデフレクタ１６の耐久性が向上する。
【００４９】
リブ部５２は円周方向フランジ部４８の径方向内方の縁部から軸線方向Ｘの内方側に延出しているので、リブ部５２が、ナットの軸長を長くする原因になることも、ナットの外径を大きくする原因になることもない。
【００５０】
次に、本発明によるボールねじの実施形態２を、図９〜図１４を参照して説明する。なお、図９〜図１４において、図１〜図８に対応する部分は、図１〜図８に付した符号と同一の符号を付けて、その説明を省略する。
【００５１】
実施形態２では、各エンドデフレクタ１６のフランジ部３２は、軸線方向Ｘで見てナット本体１４の中心と同心の円環形状であり、端面３２Ｂをもって軸線方向Ｘで対応する側のナット本体１４の端面１４Ｂに当接している。ねじ孔５８はナット本体１４の円周周りの複数箇所に各々端面１４Ｂに開口すべく形成されている。ねじ通し孔５０はフランジ部３２の円周周りの複数箇所にフランジ部３２を軸線方向に貫通して形成されている。
【００５２】
エンドデフレクタ１６は各ねじ通し孔５０及び各ねじ孔５８に対応する複数の取付ねじ６０によってナット本体１４の端面１４Ｂに固定されている。
【００５３】
これにより、実施形態２でも、取付ねじ６０の締付力はフランジ部３２にのみ作用し、取付ねじ６０の締め付けによるエンドデフレクタ１６の変形はフランジ部３２に止められ、取付ねじ６０の締付力によって主部３０が変形することが抑えられる。この結果、取付ねじ６０の締め付けに起因するナット本体１４に対するボール案内溝３４及び４０、タング部３８、突出片部４２、４４の位置精度の低下が抑えられ、ボール２８の円滑な循環が保証される。このことによりボールねじ１０の作動性能及びエンドデフレクタ１６の耐久性が向上する。
【００５４】
リブ部５２はフランジ部３２の径方向内方の縁部の略全周から軸線方向Ｘの内方側、つまり軸線方向Ｘで対応する側のデフレクタ保持凹部２６の奧側に延出し、突出片部４２の先端に接合する一端５２Ｃ及び主部３０のタング部３８側に接合する他端５２Ｄを有し、主部３０と協働してフランジ部３２の円周周りの閉ループをなしている。
【００５５】
これにより、リブ部５２は主部３０と共にフランジ部３２の曲げ剛性を高める補強リブとして作用する。リブ部５２は、両端が主部３０に接合されて主部３０と協働して閉ループをなしているので、リブ部５２自体の曲げ剛性も高くなり、リブ部５２がフランジ部３２の曲げ剛性を高める効果が顕著になる。
【００５６】
これらのことにより、フランジ部３２の変形が抑制され、ナット本体１４に対するボール案内溝３４及び４０、タング部３８、突出片部４２、４４の位置精度の低下が抑えられる。このことにより、ボール２８の円滑な循環が保証され、ボールねじ１０の作動性能及びエンドデフレクタ１６の耐久性が向上する。
【００５７】
リブ部５２は、円周方向フランジ部４８の径方向内方の縁部から軸線方向Ｘの内方側に延出しているから、ナットの軸長を長くする原因になることも、ナットの外径を大きくする原因になることもない。
【００５８】
更に、ナット本体１４の端面１４Ｂに対する開口端にはリブ部５２を受け入れるように拡径された略円環状のリブ受入れ凹部６２が形成されている。リブ部５２はリブ受入れ凹部６２に嵌り込んでおり、このことによってもナットの外径が大きくなることが回避される。
【００５９】
以上、本発明を、その好適な実施形態について説明したが、本発明の趣旨を逸脱しない範囲で適宜変更可能である。
【００６０】
例えば、エンドデフレクタ１６は、樹脂製に限られることはなく、鋳造品等による金属製であってもよい。ボールねじ１０はナット本体１４の片側にのみエンドデフレクタ１６が設けられる型式のものであってもよい。ナット本体１４がエンドデフレクタ１６のリブ部５２を受け入れるリブ受入れ凹部６２を含む構造は、実施形態１のものに同様に適用することができる。
【００６１】
また、上記実施形態に示した構成要素は必ずしも全てが必須なものではなく、本発明の趣旨を逸脱しない限りにおいて適宜取捨選択することが可能である。
【符号の説明】
【００６２】
１０    ：ボールねじ
１２    ：ねじ軸
１２Ａ  ：外周面
１４    ：ナット本体
１４Ａ  ：内周面
１４Ｂ  ：端面
１６    ：エンドデフレクタ
１８    ：軸側ねじ溝
２０    ：転走路
２２    ：ナット側ねじ溝
２４    ：ボール戻し通路
２４Ａ  ：軸方向端
２６    ：デフレクタ保持凹部
２８    ：ボール
３０    ：主部
３０Ａ  ：外周面
３０Ｂ  ：端面
３２    ：フランジ部
３２Ａ  ：外周面
３２Ｂ  ：端面
３４    ：ボール案内溝
３４Ａ  ：軸線方向部分
３４Ｂ  ：円周方向部分
３６    ：ボール受渡し通路
３８    ：タング部
４０    ：ボール案内溝
４２    ：突出片部
４２Ａ  ：内周面
４４    ：突出片部
４４Ａ  ：内周面
４６    ：径方向フランジ部
４８    ：円周方向フランジ部
４８Ａ  ：内周面
５０    ：ねじ通し孔（貫通孔）
５２    ：リブ部
５２Ａ  ：内周面
５２Ｂ  ：重なり合い部分
５２Ｃ  ：一端
５２Ｄ  ：他端
５４    ：主部受入れ部
５４Ａ  ：底面
５４Ｂ  ：内周面
５６    ：フランジ受入れ部
５６Ａ  ：底面
５６Ｂ  ：内周面
５８    ：ねじ孔
６０    ：取付ねじ
６２    ：リブ受入れ凹部
【図１】
2019113119.tif 000003
【図２】
2019113119.tif 000004
【図３】
2019113119.tif 000005
【図４】
2019113119.tif 000006
【図５】
2019113119.tif 000007
【図６】
2019113119.tif 000008
【図７】
2019113119.tif 000009
【図８】
2019113119.tif 000010
【図９】
2019113119.tif 000011
【図１０】
2019113119.tif 000012
【図１１】
2019113119.tif 000013
【図１２】
2019113119.tif 000014
【図１３】
2019113119.tif 000015
【図１４】
2019113119.tif 000016
【手続補正書】
【提出日】平成31年3月26日(2019.3.26)
【手続補正１】
【補正対象書類名】特許請求の範囲
【補正対象項目名】全文
【補正方法】変更
【補正の内容】
【特許請求の範囲】
【請求項１】
軸側ねじ溝が形成された外周面を有するねじ軸と、
前記軸側ねじ溝に対向するように形成されて前記軸側ねじ溝と協働して転走路を画成するナット側ねじ溝を形成された内周面、軸線方向に延在するボール戻し通路及び前記ナット側ねじ溝に連続すると共に前記ボール戻し通路の軸方向端が開口するように少なくとも一方の端面に形成されたデフレクタ保持凹部を有するナット本体と、
前記転走路及び前記ボール戻し通路に収容された複数のボールと、
前記デフレクタ保持凹部に配置されたエンドデフレクタとを具備したボールねじであって、
前記エンドデフレクタは、
前記転走路と前記ボール戻し通路との間で前記ボールの受け渡しを行うボール受渡し通路及び前記転走路から前記ボール受渡し通路に前記ボールを導くタング部を含む主部と、前記主部の軸線方向の端部に設けられたフランジ部とを有し、前記フランジ部を軸線方向に貫通する貫通孔に挿入されて前記ナット本体にねじ係合する取付ねじによって前記ナット本体に固定され、
前記エンドデフレクタは、更に、前記フランジ部の径方向内側の縁部からその内周面に沿って前記デフレクタ保持凹部の奧側に向けて延出したリブ部を有するボールねじ。
【請求項２】
前記主部は、前記タング部の軸線方向の両側から各々前記ナット本体の円周方向に延出した一対の突出片部を有し、当該一対の突出片部は前記デフレクタ保持凹部の内周面と協働して前記ボール受渡し通路と前記転走路との間に延在するボール案内溝を画定しており、当該一対の突出片部のうち前記フランジ部側に位置する突出片部は前記フランジ部と一体化されている請求項１に記載のボールねじ。
【請求項３】
前記フランジ部は、前記主部の前記端部から径方向外方に延出して前記突出片部と一体化された部分を含む径方向フランジ部と、前記主部の前記端部から前記突出片部の突出方向とは反対の円周方向に延出した円周方向フランジ部とを有し、前記円周方向フランジ部に前記リブ部が設けられている請求項２に記載のボールねじ。
【請求項４】
前記フランジ部は軸線方向で見て円環形状であり、
前記リブ部は、前記円環形状の内縁に沿って延在し、前記主部に接続されて前記主部と協働して閉ループをなしている請求項１又は２に記載のボールねじ。
【請求項５】
前記リブ部は前記ナット本体の前記内周面に径方向に面状に重なり合う部分を含んでいる請求項１から４の何れか一項に記載のボールねじ。
【請求項６】
前記ナット本体は前記リブ部を受け入れるべく形成された凹部を有する請求項１から５の何れか一項に記載のボールねじ。